(57)【要約】【課題】インスツルメントパネルの使用価値を向上させつつ、操作性を向上させることができる車両用ハザード装置を提供する。【解決手段】本発明の車両用ハザード装置３は、スイッチ本体５と、スイッチヘッド６とを備えている。スイッチ本体５には、搭乗者に押圧操作を促す三角形状のハザードマーク５ａが表示されている。スイッチヘッド６は、スイッチ本体５に対して揺動可能に設けられている。スイッチヘッド６は、ハザードマーク５ａを投影可能なハザード表示部６ａと、ハザードランプと関係しない情報を表示可能な情報表示部６ｂとを有している。【選択図】図２
2015058852.tif 000002
【特許請求の範囲】
【請求項１】
スイッチ本体と、前記スイッチ本体に対して押圧可能に設けられ、搭乗者の押圧操作によってハザードランプの点滅操作を行うスイッチヘッドとを備えた車両用ハザード装置において、
前記スイッチ本体には、前記押圧操作を促すハザードマークが表示され、
前記スイッチヘッドには、前記ハザードマークを投影可能なハザード表示部と、前記ハザードランプと関係しない情報を表示可能な情報表示部とが設けられていることを特徴とする車両用ハザード装置。
【請求項２】
前記スイッチヘッドは、前記スイッチ本体の上部に位置し、水平に延びる枢軸によって前記スイッチ本体に対して揺動可能に設けられ、
前記ハザード表示部は、前記情報表示部よりも前記枢軸から離れている請求項１記載の車両用ハザード装置。
【請求項３】
前記情報は時刻である請求項１又は２記載の車両用ハザード装置。
【発明の詳細な説明】
【技術分野】
【０００１】
本発明は車両用ハザード装置に関する。
【背景技術】
【０００２】
特許文献１の図２に従来の車両用ハザード装置が開示されている。この車両用ハザード装置は、スイッチ本体と、スイッチヘッドとを備えている。スイッチヘッドは、スイッチ本体に対して押圧可能に設けられ、搭乗者の押圧操作によってハザードランプの点滅操作を行う。この車両用ハザード装置では、スイッチヘッドにハザードマークとインジケータとが表示されている。ハザードマークは、搭乗者にハザードランプの点灯又は消灯のための押圧操作を促している。また、インジケータは、ハザードランプの点灯状態を表示している。
【０００３】
搭乗者は、例えば、自己が乗車している車両を駐車させようとするとき、スイッチヘッドをスイッチ本体に対して押圧操作する。これにより、ハザードランプが点灯する。また、そのハザードランプの点灯状態をインジケータが表示する。
【先行技術文献】
【特許文献】
【０００４】
【特許文献１】特開２００８−２８０００８号公報
【発明の概要】
【発明が解決しようとする課題】
【０００５】
しかし、一般的に、従来の車両用ハザード装置は、スイッチヘッドの押圧操作を行える面積がさほど大きくない。上記従来の車両用ハザード装置においても、スイッチヘッドは、ハザードマークの他、単に小さなインジケータが設けられているだけであり、スイッチヘッドの押圧操作を行える面積が大きくない。このため、搭乗者がハザードランプを点灯させる押圧操作を行う際、押圧操作を行い難い場合がある。
【０００６】
一方、スイッチヘッドの面積を大きくすれば、搭乗者はそのスイッチヘッドを押圧操作し易くなるが、それだけでは車室のインスツルメントパネルに過剰に大きなスイッチヘッドが設けられることとなり、インスツルメントパネルの使用価値が減殺されてしまう。
【０００７】
本発明は、上記従来の実情に鑑みてなされたものであって、インスツルメントパネルの使用価値を向上させつつ、操作性を向上させることができる車両用ハザード装置を提供することを解決すべき課題としている。
【課題を解決するための手段】
【０００８】
本発明の車両用ハザード装置は、スイッチ本体と、前記スイッチ本体に対して押圧可能に設けられ、搭乗者の押圧操作によってハザードランプの点滅操作を行うスイッチヘッドとを備えた車両用ハザード装置において、
前記スイッチ本体には、前記押圧操作を促すハザードマークが表示され、
前記スイッチヘッドには、前記ハザードマークを投影可能なハザード表示部と、前記ハザードランプと関係しない情報を表示可能な情報表示部とが設けられていることを特徴とする（請求項１）。
【０００９】
本発明の車両用ハザード装置では、ハザード表示部及び情報表示部がスイッチヘッドに設けられているため、スイッチヘッドの押圧操作を行える面積を大きくすることが可能である。このため、搭乗者がハザードランプを点灯又は消灯させる押圧操作を行い易い。
【００１０】
また、情報表示部の分だけスイッチヘッドの面積が大きくなっているため、インスツルメントパネルの使用価値を損なうこともない。
【００１１】
したがって、本発明の車両用ハザード装置では、インスツルメントパネルの使用価値を向上させつつ、操作性を向上させることができる。
【００１２】
本発明の車両用ハザード装置において、情報としては、時刻、警告情報（ガソリン残量、バッテリ残量、シートベルト着用及び機器の故障等）、スピード、カーナビゲーション、バックモニタ、テレビ、天候及びカレンダ等、種々のものを採用することが可能である。
【００１３】
スイッチヘッドは、スイッチ本体の上部に位置し、水平に延びる枢軸によってスイッチ本体に対して揺動可能に設けられ得る。ハザード表示部は、情報表示部よりも枢軸から離れていることが好ましい（請求項２）。この場合、搭乗者が枢軸から離れたハザード表示部を押圧しやすいため、搭乗者に押圧操作を行うよう促し易い。
【００１４】
情報は時刻であることが好ましい（請求項３）。この場合、搭乗者に時刻情報を提供することが可能である。時刻としては、現在時刻及び到着予想時刻等、種々のものを採用することが可能である。
【発明の効果】
【００１５】
本発明の車両用ハザード装置では、インスツルメントパネルの使用価値を向上させつつ、操作性を向上させることが可能である。
【図面の簡単な説明】
【００１６】
【図１】実施例の車両用ハザード装置を用いたインスツルメントパネルの正面図である。
【図２】実施例の車両用ハザード装置に係り、スイッチヘッドが揺動している状態を示す斜視図である。
【図３】実施例の車両用ハザード装置の正面図である。
【発明を実施するための形態】
【００１７】
以下、本発明を具体化した実施例を図面を参照しつつ説明する。
【００１８】
図１に示すように、実施例の車両用ハザード装置３は、車室内で左右に延在しているインスツルメントパネル１の中央部に搭載されている。すなわち、インスツルメントパネル１には、中央部に搭載されたカーナビゲーション２ａと、カーナビゲーション２ａの両側に搭載されている左右一対のセンターレジスタ２ｂと、カーナビゲーション２ａの真下に搭載されている車両用ハザード装置３とを有している。
【００１９】
車両用ハザード装置３は、図示しないハザードランプに接続されている。この車両用ハザード装置３は、図２及び図３に示すように、スイッチ本体５と、スイッチヘッド６とを備えている。
【００２０】
スイッチ本体５には、搭乗者に押圧操作を促す三角形状のハザードマーク５ａが表示されている。
【００２１】
スイッチヘッド６には、図２に示すように、スイッチ本体５の上部に位置し、左右に水平方向に延びる枢軸Ｘ１が設定されている。スイッチヘッド６は、枢軸Ｘ１によってスイッチ本体５に対して揺動可能に設けられている。言い換えれば、スイッチヘッド６は、搭乗者の押圧操作によってスイッチ本体５に対して枢軸Ｘ１を中心として押圧可能である。
【００２２】
スイッチヘッド６は、図２及び図３に示すように、ハザードマーク５ａを投影可能なハザード表示部６ａと、ハザードランプと関係しない情報である現在時刻を表示可能な情報表示部６ｂとを有している。情報表示部６ｂはスイッチヘッド６の上方に位置している。ハザード表示部６ａは、枢軸Ｘ１から離れた位置であるスイッチヘッド６の下方、すなわち、情報表示部６ｂの真下に位置している。
【００２３】
スイッチヘッド６の左側には、情報表示部６ｂに表示される現在時刻の時間を調節することが可能な「Ｈ」が表示されたスイッチ６ｃと、その現在時刻の分を調節することが可能な「Ｍ」が表示されたスイッチ６ｄと、その現在時刻をリセットするための「００：００」が表示されたスイッチ６ｅとが設けられている。スイッチ６ｃはスイッチヘッド６の上方に位置している。スイッチ６ｅはスイッチヘッド６の下方に位置している。スイッチ６ｄはスイッチ６ｃとスイッチ６ｅとの間に位置している。
【００２４】
以上のように構成された車両用ハザード装置３では、搭乗者は、例えば、自己が乗車している車両を駐車させようとするとき、スイッチヘッド６をスイッチ本体５に対して押圧操作する。これにより、ハザードランプが点灯する。そして、搭乗者がハザードランプの点灯が必要ないと考えれば、スイッチヘッド６をスイッチ本体５に対して再度押圧操作する。これにより、ハザードランプが消灯する。
【００２５】
この際、この車両用ハザード装置３では、ハザード表示部６ａ及び情報表示部６ｂがスイッチヘッド６に設けられているため、スイッチヘッド６の押圧操作を行える面積が大きくなっている。また、ハザード表示部６ａは、枢軸Ｘ１から離れた位置であるスイッチヘッド６の下方、すなわち、情報表示部６ｂの真下に位置しているため、搭乗者に押圧操作を行うよう促している。このため、搭乗者がハザードランプを点灯又は消灯させる押圧操作を行い易い。
【００２６】
また、この車両用ハザード装置３では、スイッチヘッド６によって搭乗者に現在時刻を提供しているため、インスツルメントパネル１の使用価値が向上している。
【００２７】
したがって、この車両用ハザード装置３では、インスツルメントパネル１の使用価値を向上させつつ、操作性を向上させることができる。
【００２８】
以上において、本発明を実施例に即して説明したが、本発明は上記実施例に制限されるものではなく、その趣旨を逸脱しない範囲で適宜変更して適用できることはいうまでもない。
【産業上の利用可能性】
【００２９】
本発明は車両に利用可能である。
【符号の説明】
【００３０】
３…車両用ハザード装置
５…スイッチ本体
５ａ…ハザードマーク
６…スイッチヘッド
６ａ…ハザード表示部
６ｂ…情報表示部
Ｘ１…枢軸
【図１】
2015058852.tif 000003
【図２】
2015058852.tif 000004
【図３】
2015058852.tif 000005